(57)【要約】【課題】  ズーム撮像光学系との機械的連動機構を廃し、独立して駆動制御を行うファインダユニットに好適な、低コストで、位置検知精度のバラツキを減少させた位置検知装置を得る。【解決手段】  透光性の材料で形成された光学要素と、光学要素の位置を検知するための、光を射出する投光部と投光部から射出された光を受光する受光部を備えた検知手段を有し、光学要素の光学有効面以外の部位に、投光部から射出された光を受光部と異なる方向に反射させる反射部、又は投光部から射出された光を受光部の方向に反射させる反射部を一体的に形成した光学要素の位置検知装置とする。【選択図】        図３
2006258881.tif 000002
【特許請求の範囲】
【請求項１】
透光性の材料で形成された光学要素と、該光学要素の位置を検知するための、光を射出する投光部と該投光部から射出された光を受光する受光部を備えた検知手段を有し、
前記光学要素の光学有効面以外の部位に、前記投光部から射出された光を前記受光部と異なる方向に反射させる反射部を一体的に形成したことを特徴とする光学要素の位置検知装置。
【請求項２】
透光性の材料で形成された光学要素と、該光学要素の位置を検知するための、光を射出する投光部と該投光部から射出された光を受光する受光部を備えた検知手段を有し、
前記光学要素の光学有効面以外の部位に、前記投光部から射出された光を前記受光部の方向に反射させる反射部を一体的に形成したことを特徴とする光学要素の位置検知装置。
【請求項３】
前記反射部は、前記投光部から射出された光を全反射するよう形成されていることを特徴とする請求項１又は２に記載の光学要素の位置検知装置。
【請求項４】
複数のレンズ群と、該複数のレンズ群のうち、少なくとも１つのレンズを変位させるカム部材と、該カム部材により変位されるレンズの位置を検知する検知手段とを有し、
前記検知手段は、光を射出する投光部と該投光部から射出された光を受光する受光部を備え、前記カム部材により変位されるレンズの光学有効面以外の部位に、前記投光部から射出された光を前記受光部と異なる方向に反射させる反射部を一体的に形成したことを特徴とする光学ズームファインダ。
【請求項５】
複数のレンズ群と、該複数のレンズ群のうち、少なくとも１つのレンズを変位させるカム部材と、該カム部材により変位されるレンズの位置を検知する検知手段とを有し、
前記検知手段は、光を射出する投光部と該投光部から射出された光を受光する受光部を備え、前記カム部材により変位されるレンズの光学有効面以外の部位に、前記投光部から射出された光を前記受光部の方向に反射させる反射部を一体的に形成したことを特徴とする光学ズームファインダ。
【請求項６】
前記反射部は、前記投光部から射出された光を全反射するよう形成されていることを特徴とする請求項４又は５に記載の光学ズームファインダ。
【請求項７】
前記反射部を、前記カム部材に形成されたカムの所定の変位量に対し、光軸方向の移動量が最も大きいレンズに形成したことを特徴とする請求項４〜６のいずれか１項に記載の光学ズームファインダ。
【請求項８】
請求項４〜７のいずれか１項に記載の光学ズームファインダを備えたことを特徴とするカメラ。
【発明の詳細な説明】
【技術分野】
【０００１】
本発明は、カメラの撮影レンズと機械的な連動機構を備えていない光学ズームファインダに関し、この光学ズームファインダを構成する光学要素の位置検知装置に関するものである。
【背景技術】
【０００２】
従来より、変倍可能なズーム撮像光学系（以下、ズームレンズとも称す）とこれに連動するズームファインダ光学系を備えた、ズームレンズ搭載カメラは周知である。
【０００３】
このズームレンズ搭載カメラにおいては、ズーム撮像光学系の変倍による撮影範囲の変更に合わせ、ズームファインダ光学系を変倍させ、撮影範囲とファインダの視野範囲を略整合させる必要があり、このために撮像光学系とファインダ光学系を機械的に連動させて変倍をおこなうものが一般的であった。
【０００４】
このような、撮像光学系とファインダ光学系を機械的に連動させるものとして、２つのファインダレンズをそれぞれ異なる案内軸に嵌合して案内部の嵌合長を確保しつつ、２つのファインダレンズそれぞれに一体的に形成したカムピンと、撮像レンズ側の鏡胴部材であるカム板とを係合させ、カム板を回動させることにより、ファインダレンズを移動させて変倍を行い、撮影範囲とファインダの視野範囲を略整合させるようにしたものが開示されている（例えば、特許文献１参照）。
【０００５】
一方、ズーム撮像光学系とズームファインダ光学系の機械的連動機構を無くして、それぞれにアクチュエータを配置し、それぞれを独立して駆動制御可能に構成したものも公知である。
【０００６】
このような、ズームファインダ光学系を独立して駆動制御する構成においては、駆動制御の基準となる、何らかの部材の位置検知を行う必要があり、この独立したズームファインダ光学系を駆動制御する場合の位置検知に関しては、光軸方向に移動可能に構成された、いずれかのレンズの光学有効面以外の部位に遮光部材を固着し、この遮光部材がフォトインタラプタの投受光部から離脱もしくは、投受光部間を遮蔽し始める位置を基準とし、ステッピングモータをこの基準から予め決められたステップ数だけ駆動し、カム部材を所望の位置へ移動もしくは回動させることで、所定のレンズを光軸方向に移動させ、撮影範囲とファインダの視野範囲を略整合させる制御が行われている。
【特許文献１】特開２００２−３４１４０４号公報
【発明の開示】
【発明が解決しようとする課題】
【０００７】
上記特許文献１に記載のような機械的連動機構を用いたズームファインダでは、複数機種に搭載する場合、ズーム撮像光学系及びズームファインダ光学系の相互のレイアウト位置関係を変更することができないため、カメラデザインが似たものとなってしまい、異なるレイアウトのものとするには、新たに異なる位置関係のズーム撮像光学系とズームファインダ光学系を開発しなくてはならず、コスト高となる問題がある。
【０００８】
この問題は、フィルムカメラに比べレイアウト自由度の高いデジタルカメラにとって、効率的な新規製品開発の障害となる。
【０００９】
これに対し、ズーム撮像光学系とズームファインダ光学系の機械的連動機構を無くして、それぞれを独立して駆動制御可能に構成したものは、撮像光学系とファインダ光学系の相互の位置関係を変更することは比較的容易であり、同じ撮像光学系とファインダ光学系をそのまま用いて、カメラデザインや内部のレイアウトの異なる複数機種に自由に搭載することができる効果を有するものである。
【００１０】
しかしながら、上述のズームファインダ光学系を独立して駆動制御する場合の、従来のレンズ位置検知に関しては、以下の問題がある。
【００１１】
上述の、ファインダレンズの光学有効面以外の部位に遮光部材を固着し、フォトインタラプタの投受光部から離脱もしくは、投受光部間を遮蔽し始める位置を基準とするものでは、ファインダレンズに取り付けられる遮光部材の固定位置の微小な取り付け誤差の発生を避けることができない。ファインダレンズの移動量は撮像光学系等のレンズの移動量に比べ非常に小さく、この取り付け誤差は微小であっても無視できず、この誤差を吸収するために、完成したファインダユニット状態において個別の調整が必要となる。このため工数増によるコストアップとなる問題がある。
【００１２】
更に、遮光部材の部品費、遮光部材の取り付け工数等もコストアップの要因となる。
【００１３】
本発明は上記問題に鑑み、ズーム撮像光学系との機械的連動機構を廃し、独立して駆動制御を行うファインダユニットに好適な、低コストで、位置検知精度のバラツキを減少させた位置検知装置を得ることを目的とするものである。
【課題を解決するための手段】
【００１４】
上記の目的は、以下の構成により解決される。
【００１５】
１）  透光性の材料で形成された光学要素と、該光学要素の位置を検知するための、光を射出する投光部と該投光部から射出された光を受光する受光部を備えた検知手段を有し、前記光学要素の光学有効面以外の部位に、前記投光部から射出された光を前記受光部と異なる方向に反射させる反射部を一体的に形成したことを特徴とする光学要素の位置検知装置。
【００１６】
２）  透光性の材料で形成された光学要素と、該光学要素の位置を検知するための、光を射出する投光部と該投光部から射出された光を受光する受光部を備えた検知手段を有し、前記光学要素の光学有効面以外の部位に、前記投光部から射出された光を前記受光部の方向に反射させる反射部を一体的に形成したことを特徴とする光学要素の位置検知装置。
【００１７】
３）  前記反射部は、前記投光部から射出された光を全反射するよう形成されている１）又は２）の光学要素の位置検知装置。
【００１８】
４）  複数のレンズ群と、該複数のレンズ群のうち、少なくとも１つのレンズを変位させるカム部材と、該カム部材により変位されるレンズの位置を検知する検知手段とを有し、前記検知手段は、光を射出する投光部と該投光部から射出された光を受光する受光部を備え、前記カム部材により変位されるレンズの光学有効面以外の部位に、前記投光部から射出された光を前記受光部と異なる方向に反射させる反射部を一体的に形成したことを特徴とする光学ズームファインダ。
【００１９】
５）  複数のレンズ群と、該複数のレンズ群のうち、少なくとも１つのレンズを変位させるカム部材と、該カム部材により変位されるレンズの位置を検知する検知手段とを有し、前記検知手段は、光を射出する投光部と該投光部から射出された光を受光する受光部を備え、前記カム部材により変位されるレンズの光学有効面以外の部位に、前記投光部から射出された光を前記受光部の方向に反射させる反射部を一体的に形成したことを特徴とする光学ズームファインダ。
【００２０】
６）  前記反射部は、前記投光部から射出された光を全反射するよう形成されている４）又は５）の光学ズームファインダ。
【００２１】
７）  前記反射部を、前記カム部材に形成されたカムの所定の変位量に対し、光軸方向の移動量が最も大きいレンズに形成した４）〜６）のいずれかの光学ズームファインダ。
【００２２】
８）  ４）〜７）のいずれかの光学ズームファインダを備えたカメラ。
【発明の効果】
【００２３】
上記１）又は２）の発明によれば、ズーム撮像光学系との機械的連動機構を廃し、独立して駆動制御を行うファインダユニットに好適な、低コストで、位置検知精度のバラツキを減少させた位置検知装置を得ることが可能となる。
【００２４】
上記３）の発明によれば、Ｓ／Ｎ比が向上し、受光部出力の個体差が小さい、精度安定性の高い位置検知装置を得ることができる。
【００２５】
上記４）又は５）の発明によれば、低コストで、位置検知精度のバラツキの少ない、独立して駆動制御を行うファインダユニットを得ることが可能となる。
【００２６】
上記６）の発明によれば、Ｓ／Ｎ比が向上し、受光部出力の個体差が小さい、精度安定性の高い位置検知が可能なファインダユニットを得ることができる。
【００２７】
上記７）の発明によれば、所望のレンズの位置検知精度をより高めることができる。
【００２８】
上記８）の発明によれば、位置検知精度のバラツキの少ない、低コストの独立して駆動制御を行うファインダユニットを用いることで、カメラデザインや内部のレイアウトの異なる複数のカメラを容易に低コストで得ることができる。
【発明を実施するための最良の形態】
【００２９】
以下、実施の形態により本発明を詳しく説明するが、本発明はこれに限定されるものではない。
【００３０】
図１は、本発明に係る光学要素の位置検知装置を備えたファインダユニット１００の一例を示す図である。同図に示すファインダユニットは、実像式の光学ズームファインダであり、ワイド状態を示している。なお、同図は内部の構成を示すため、筐体は省略して図示してある。
【００３１】
同図に示すファインダユニット１００において、１１はファインダ第１レンズ（以下、第１レンズと称す）、１２はファインダ第２レンズ（以下、第２レンズと称す）、１３はプリズムＡ、１４はプリズムＢ、１５はアイピースレンズである。第１レンズ１１、第２レンズ１２、プリズムＡ１３、プリズムＢ１４、アイピースレンズ１５は透光性の材料で形成されている。また、第２レンズ１２にはマスク３５が固着されている。
【００３２】
第１レンズ１１にはスリーブ１１ｓが一体に成形されており、スリーブ１１ｓはガイド軸２１に嵌合すると共に、ガイド軸２３とも係合して回り止めがされ、光軸Ｏ方向に摺動移動可能となっている。
【００３３】
第２レンズ１２にはスリーブ１２ｓが一体に成形されており、スリーブ１２ｓはガイド軸２２に嵌合すると共に、ガイド軸２３とも係合して回り止めがされ、光軸Ｏ方向に摺動移動可能となっている。
【００３４】
プリズムＡ１３とプリズムＢ１４は、第１レンズ１１と第２レンズ１２により結像される像を正立させるためのものであり、被写体像はプリズムＡ１３の射出面とプリズムＢ１４の入射面の間に形成される。
【００３５】
第１レンズ１１のスリーブ１１ｓ及び第２レンズ１２のスリーブ１２ｓには、円筒状のカム筒３１に形成された２つのカム溝３１ｎ、３１ｍに係合するカムピンがそれぞれ形成されている。カム筒３１は、ステッピングモータ３２の回転をピニオンギア３３及びアイドラーギア３４を介して回転させられる。
【００３６】
図２は、円筒状のカム筒３１の展開図である。
【００３７】
同図に示すように、カム溝３１ｎ及びカム溝３１ｍは、カム筒３１の外周に形成されており、このカム溝３１ｎに案内されて第１レンズ１１が移動し、カム溝３１ｍに案内されて第２レンズ１２が移動することにより変倍が行われる。なお３１ｇは、カム筒３１に形成されたギア部であり、このギア部３１ｇとアイドラーギア３４が歯合して、カム筒３１は回転する。
【００３８】
図１に戻り、２４は光を射出する投光部とこの投光部から射出された光を受光する受光部を備えた検知手段を示し、図１ではフォトインタラプタ（以下、ＰＩと称し、符合２４ａとする）を用いた例を示した。また、第２レンズ１２のスリーブ１２ｓには、ＰＩ２４の投光部から射出された光を受光部と異なる方向に反射させる反射部が一体的に形成されている。この反射部について、以下で詳しく説明する。
【００３９】
（第一の実施の形態）
図３は、第一の実施の形態に係る位置検知装置の一例を示す図である。同図は、図１に示す第２レンズ１２とＰＩ２４ａを抜き出して示したものである。なお、以下の図においては、説明の重複を避けるため、同機能部材には同符号を付与して説明する。
【００４０】
同図において、第２レンズ１２は、ガイド軸２２に嵌合すると共に、ガイド軸２３とも係合して回り止めがされ、光軸Ｏ方向即ち紙面表裏方向に直進移動する。
【００４１】
同図に示すように、第２レンズ１２と一体で成形されたスリーブ１２ｓには、入射面１２ｎと反射部である反射面１２ｈが一体で成形されている。反射部である反射面１２ｈは、図示のごとく、ＰＩ２４ａの投光部から射出された光が入射面１２ｎに入射した後、反射面１２ｈにより全反射させてＰＩ２４ａの受光部とは異なる方向に射出させるよう形成されている。
【００４２】
このようにすることで、第２レンズ１２を成形する工程のみで、即ち、反射膜の形成等の後処理工程無しで反射面１２ｈを形成することができ低コストとなるだけでなく、一体で成形されるため、別部品で構成する場合に比べ、第２レンズ１２のレンズ面に対する反射面１２ｈの位置寸法精度は格段に向上する。
【００４３】
この反射面１２ｈの角度は、入射面１２ｎを経たＰＩ２４ａからの入射光に対し臨界角以上となるような角度に形成されている。また、入射面１２ｎ及び反射面１２ｈは滑面に形成され、ＰＩ２４ａの投光部からの入射光を乱反射させないようになっていることが好ましい。
【００４４】
なお、１２ｐは第２レンズ１２と一体で成形されたカムピンであり、３６はＰＩ２４ａに電気的に接続されたプリント基板である。
【００４５】
図４は、入射面１２ｎ及び反射面１２ｈの部位の部分斜視図である。同図矢印は、移動方向を示し、側壁面１２ｙは、この移動方向に対し垂直な面で形成されていることが望ましい。
【００４６】
図５は、フォトインタラプタ（ＰＩ）２４ａの投光光束と反射部の相対位置による受光光量の関係を示す図である。同図（ａ）は投光光束と反射部の相対位置を示し、同図（ｂ）はそのときのフォトインタラプタ（ＰＩ）２４ａの受光光量を示している。
【００４７】
同図（ａ）において、円形がフォトインタラプタ（ＰＩ）２４ａの投光光束を示し、矩形が反射部を示している。
【００４８】
同図に示すように、投光光束と反射部が離間している時は、ＰＩの受光光量は最大値（図中ＭＡＸ）を示す。
【００４９】
上述のカム筒の回転により第２レンズがガイド軸に沿って直進移動し、反射部の側壁面１２ｙが投光光束と接し始める位置から、反射部が投光光束を覆う位置までの移動の課程で、同図（ｂ）に示すＡ〜Ｂの範囲に示すように、ＰＩ２４ａの受光部に達する光量は減少し、反射部が投光光束を覆う位置で受光光量は最小値（図中ＭＩＮ）となる。これは、図３で説明したように、投光光束が反射面１２ｈにより受光部と異なる方向に全反射されるためである。
【００５０】
この、受光光量の最大値と最小値の間に、しきい値ＳＨを設定しておき、このしきい値を下回った反射部の位置（即ち第２レンズの位置）を基準位置とする立ち下がり位置検知を行うことができる。
【００５１】
或いは、反射部が投光光束を全て覆った位置から、反射部が投光光束範囲から離脱する位置までの移動の課程で、同図（ｂ）に示すＣ〜Ｄの範囲に示すように、ＰＩ２４ａの受光部に達する光量は最小値（図中ＭＩＮ）から増加し、反射部が投光光束から離脱した位置で受光光量は最大値（図中ＭＡＸ）となる。この、受光光量の最小値と最大値の間に、しきい値ＳＨを設定しておき、このしきい値を上回った反射部の位置（即ち第２レンズの位置）を基準位置とする立ち上がり位置検知としてもよい。
【００５２】
以上のようにして検知した位置を基準位置とし、カム筒の回転方向及び回転量を、図示しない制御手段により制御し、撮像光学系の画角に略整合したファインダユニットとすることができる。
【００５３】
上記のような位置検知手段は、図２に示すカム筒３１に形成されたカムの所定の変位量（回転量）に対し、光軸方向の移動量が大きいレンズに形成することが好ましく、本例においては、カム溝３１ｍに係合する第２レンズに適用した。このようにすることで、位置検知精度を高めることができる。
【００５４】
更に検知位置としては、カム溝の傾斜の大きい位置、即ち図２のＥで示す範囲に設定することが好ましい。更に、図２のＥで示す範囲のうち、搭載するカメラが起動した際の、撮像光学系の停止位置の画角に整合する位置近傍に設定することが好ましい。このようにすることで、カメラが起動した際の撮像光学系の撮影範囲とファインダの視野範囲との整合を短時間で行うことができる。なお、検知位置はこれに限らず、図２で示すワイド〜テレ位置の範囲外に設定してもよい。
【００５５】
以上説明したように、カム部材により変位されるレンズの光学有効面以外の部位に、位置検知手段であるフォトインタラプタの投光部から射出された光を受光部と異なる方向に反射させる反射部を一体的に形成することにより、低コストで、検知精度のバラツキを減少させた位置検知装置を得ることができ、同様の効果を有したファインダユニットを得ることが可能となる。
【００５６】
（第二の実施の形態）
以下、第二の実施の形態について説明するが、ファインダユニット及びカム筒に関しては図１及び図２に示すものと基本構成は同じでよいため、省略する。
【００５７】
図６は、第二の実施の形態に係る位置検知装置の一例を示す図である。同図は、図１に示す第２レンズ１２の位置検知手段２４としてフォトリフレクタ（以下、ＰＲと称す）２４ｂを用いた例である。
【００５８】
同図に示すように、第２レンズ１２と一体で成形されたスリーブ１２ｓには、入射面と射出面の機能を有する入射・射出面１２ｍと反射部である２つの反射面１２ｈが一体で成形されている。反射部である２つの反射面１２ｈは、図示のごとく、ＰＲ２４ｂの投光部から射出された光が入射・射出面１２ｍに入射した後、２つの反射面１２ｈにより２回の全反射を行い、入射・射出面１２ｍからＰＲ２４ｂの受光部の方向に射出させるよう形成されている。また、２つの反射面１２ｈの稜線はＰＲ２４ｂの投受光部の境界線に平行に配置されている。
【００５９】
このようにすることで、第２レンズ１２を成形する工程のみで、即ち、反射膜の形成等の後処理工程無しで反射面１２ｈを形成することができ低コストとなるだけでなく、一体で成形されるため、別部品で構成する場合に比べ、第２レンズ１２のレンズ面に対する反射面１２ｈの位置寸法精度は格段に向上する。
【００６０】
この２つの反射面１２ｈの角度は、それぞれの面に入射する入射光に対し臨界角以上となるような角度に形成されている。また、入射・射出面１２ｍ及び２つの反射面１２ｈは滑面に形成され、ＰＲ２４ｂの投光部からの入射光を乱反射させないようになっていることが好ましい。なお、第２レンズ１２の位置検知手段としてフォトリフレクタ２４ｂを用いる場合には入射・射出面１２ｍを荒らし面に形成してもよい。
【００６１】
図７は、入射・射出面１２ｍ及び２つの反射面１２ｈの部位の部分斜視図である。同図矢印は、移動方向を示し、側壁面１２ｙは、この移動方向に対し垂直な面で形成されていることが望ましい。
【００６２】
図８は、フォトリフレクタ（ＰＲ）２４ｂと反射部の相対位置による受光光量の関係を示す図である。同図（ａ）はＰＲ２４ｂの投受光部と反射部の相対位置を示し、同図（ｂ）はそのときのＰＲ２４ｂの受光部の受光光量を示している。
【００６３】
同図（ａ）において、実線の円形がＰＲ２４ｂの投光部からの投光光束を示し、破線の円形がＰＲ２４ｂの受光部を示し、矩形が反射部を示している。また、２つの反射面１２ｈで形成される稜線は投受光部の間に位置するよう設定されている。
【００６４】
同図に示すように、投光光束と反射部が離間している時は、ＰＲの受光光量は最小値（図中ＭＩＮ）を示す。
【００６５】
反射部の側壁面１２ｙが投光光束及び受光部と接し始める位置から、反射部が投光光束及び受光部を覆う位置までの移動の課程で、同図（ｂ）に示すＦ〜Ｇの範囲に示すように、ＰＲ２４ｂの受光部に達する光量は増大し、反射部が投光光束及び受光部を覆う位置で受光光量は最大値（図中ＭＡＸ）となる。これは、図６で説明したように、投光光束が２つの反射面１２ｈにより受光部の方向に全反射されるためである。
【００６６】
この、受光光量の最大値と最小値の間に、しきい値ＳＨを設定しておき、このしきい値を上回った反射部の位置（即ち第２レンズの位置）を基準位置とする立ち上がり位置検知を行うことができる。
【００６７】
或いは、反射部が投光光束を全て覆った位置から、反射部が投光光束範囲から離脱する位置までの移動の課程で、同図（ｂ）に示すＨ〜Ｊの範囲に示すように、ＰＲ２４ｂの受光部に達する光量は最大値（図中ＭＡＸ）から減少し、反射部が投光光束から離脱した位置で受光光量は最小値（図中ＭＩＮ）となる。この、受光光量の最大値と最小値の間に、しきい値ＳＨを設定しておき、このしきい値を下回った反射部の位置（即ち第２レンズの位置）を基準位置とする立ち下がり位置検知としてもよい。
【００６８】
以上のようにして検知した位置を基準位置とし、カム筒の回転方向及び回転量を、図示しない制御手段により制御し、撮像光学系の画角に略整合したファインダユニットとすることができる。
【００６９】
上記のような位置検知手段は、図２に示すカム筒３１に形成されたカムの所定の変位量（回転量）に対し、光軸方向の移動量が大きいレンズに形成することが好ましく、本例においては、カム溝３１ｍに係合する第２レンズに適用した。このようにすることで、位置検知精度を高めることができる。
【００７０】
更に検知位置としては、カム溝の傾斜の大きい位置、即ち図２のＥで示す範囲に設定することが好ましい。更に、図２のＥで示す範囲のうち、搭載するカメラが起動した際の、撮像光学系の停止位置の画角に整合する位置近傍に設定することが好ましい。このようにすることで、カメラが起動した際の撮像光学系の撮影範囲とファインダの視野範囲との整合を短時間で行うことができる。なお、検知位置はこれに限らず、図２で示すワイド〜テレ位置の範囲外に設定してもよい。
【００７１】
以上説明したように、カム部材により変位されるレンズの光学有効面以外の部位に、位置検知手段であるフォトリフレクタの投光部から射出された光を受光部の方向に反射させる反射部を一体的に形成することにより、低コストで、検知精度のバラツキを減少させた位置検知装置を得ることができ、同様の効果を有したファインダユニットを得ることが可能となる。
【００７２】
更に、反射部を、投光部から射出された光を全反射するように構成することにより、受光部の出力の最大値と最小値の差を大きくでき、Ｓ／Ｎ比が向上し、受光部出力の個体差が減少し、精度安定性の高い位置検知装置を得ることができ、同様の効果を有したファインダユニットを得ることが可能となる。
【００７３】
なお、不図示であるが、撮像光学系と機械的連動機構を要しない、上記の低コストで位置検知精度の高いファインダユニットを搭載することで、撮像光学系とファインダ光学系の相互の位置関係を各種に変更し、同じ撮像光学系とファインダ光学系をそのまま用いて、カメラデザインや内部のレイアウトの異なる複数の機種を容易に低コストで商品ラインアップとすることができる。
【００７４】
なお上記の実施の形態においては実像式ファインダを用いて説明したが、これに限るものでなく、虚像式のズームファインダにも適用可能なのは言うまでもない。また、円筒形のカムで説明したが、板材にカム溝を型抜きしたカム板でもよい。
【００７５】
更に、反射面、入射面等を平面で構成した例で説明したが、適宜レンズ形状、シリンドリカル形状等の曲面を適用することも本発明を逸脱するものではない。
【図面の簡単な説明】
【００７６】
【図１】本発明に係る光学要素の位置検知装置を備えたファインダユニットの一例を示す図である。
【図２】円筒状のカム筒の展開図である。
【図３】第一の実施の形態に係る位置検知装置の一例を示す図である。
【図４】入射面及び反射面の部位の部分斜視図である。
【図５】フォトインタラプタ（ＰＩ）の投光光束と反射部の相対位置による受光光量の関係を示す図である。
【図６】第二の実施の形態に係る位置検知装置の一例を示す図である。
【図７】入射・射出面及び２つの反射面の部位の部分斜視図である。
【図８】フォトリフレクタ（ＰＲ）と反射部の相対位置による受光光量の関係を示す図である。
【符号の説明】
【００７７】
１１  ファインダ第１レンズ
１２  ファインダ第２レンズ
１３  プリズムＡ
１４  プリズムＢ
１５  アイピースレンズ
２１、２２、２３  ガイド軸
２４ａ  フォトインタラプタ（位置検知手段）
２４ｂ  フォトリフレクタ（位置検知手段）
３１  カム筒
３２  ステッピングモータ
３３  ピニオンギア
３４  アイドラーギア
３５  マスク
３６  プリント基板
１００  ファインダユニット
【図１】
2006258881.tif 000003
【図２】
2006258881.tif 000004
【図３】
2006258881.tif 000005
【図４】
2006258881.tif 000006
【図５】
2006258881.tif 000007
【図６】
2006258881.tif 000008
【図７】
2006258881.tif 000009
【図８】
2006258881.tif 000010